(57)【特許請求の範囲】
【請求項１】
個人情報管理機能を有する電話機であって、個人情報管理アプリケーションの起動及び終了を指示する手段と、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、電話回線接続をモニタする手段とを備え、電話回線が接続されている時にダイヤルキーが押下された場合には、ダイヤルキー入力に対応したダイヤルを行い、電話回線が接続されていない時にダイヤルキーが押下された場合には、ダイヤルキー入力を起動されている前記個人情報管理アプリケーションへの文字コードに変換する事を特徴とする電話機。
【請求項２】
ダイヤルキー入力を判定する手段と、ダイヤルキー入力に対応したダイヤルを行う手段と、ダイヤルキー入力を文字コードに変換する手段と、通信状態をモニタする手段とを備え、データ通信状態である時にダイヤルキーが押下された場合には、ダイヤルキー入力を文字コードに変換し、音声通話状態である時にダイヤルキーが押下された場合には、ダイヤルキー入力に対応したダイヤルを行う事を特徴とする電話機。
【請求項３】
ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、通信状態をモニタする手段とを備え、データ通信状態である時にダイヤルキーが押下された場合には、ダイヤルキー入力を文字コードに変換し、音声通話状態である時にダイヤルキーが押下された場合には、ダイヤルキー入力に対応したダイヤルを行う事を特徴とする電話機。
【請求項４】
ウエブブラウズ機能を有する電話機であって、ウエブブラウズアプリケーションの起動及び終了を指示する手段と、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、通信状態をモニタする手段とを備え、データ通信状態である時にダイヤルキーが押下された場合には、ダイヤルキー入力を起動されている前記ウエブブラウズアプリケーションへの文字コードに変換し、音声通話状態である時にダイヤルキーが押下された場合には、ダイヤルキー入力に対応したダイヤルを行う事を特徴とする電話機。
【請求項５】
個人情報管理機能及びウエブブラウズ機能を有する電話機であって、個人情報管理及びウエブブラウズアプリケーションの起動及び終了を指示する手段と、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、電話回線接続及び通信状態をモニタする手段とを備え、電話回線が接続されデータ通信状態である時にダイヤルキーが押下された場合には、ダイヤルキー入力を起動されている前記ウエブブラウズアプリケーションへの文字コードに変換し、電話回線が接続され音声通話状態である時にダイヤルキーが押下された場合には、ダイヤルキー入力に対応したダイヤルを行い、電話回線が接続されていない時にダイヤルキーが押下された場合には、ダイヤルキー入力を起動されている前記個人情報管理アプリケーションへの文字コードに変換する事を特徴とする電話機。
【発明の詳細な説明】
【０００１】
【発明の属する技術分野】
本発明は、個人情報管理機能及び／またはウエブブラウズ機能を持った電話機に関するものである。
【０００２】
【従来の技術】
従来、個人の氏名、住所、電話番号、電子メールアドレス等を管理する個人情報管理アプリケーションを備えている電話機では、その個人情報管理アプリケーション等の文字入力手段としてキーボードを備えている。
【０００３】
また、このような電話機においても、情報管理アプリケーションのない普通の電話機と同様に、通常の音声通話等のためにダイヤルする場合には、ダイヤルキーを使用して電話番号を入力する。
【０００４】
そして、個人情報管理アプリケーションを起動して、文字入力をする場合には、キーボードを使用して文字を入力する。
【０００５】
【発明が解決しようとする課題】
これら従来の電話機では、ダイヤルする場合、文字入力をする場合の各状況に対して、それぞれに対応する入力手段を使用せねばならなかった。
【０００６】
また、従来の電話機は、個人情報管理アプリケーション等を起動し、個人の氏名、住所、電話番号等を入力するためには、キーボードを使用して入力する必要がある。しかしながら、キーボードはその入力作業のために安定な場所を必要とし、常設した場合、電話機に加えてキーボードのスペースも確保する必要があり、電話機の設置場所も制限されることになる。
【０００７】
また、通常、キーボードは取り外し可能であるが、入力の必要性が生じた都度接続し、使用後、取り外すのも煩雑であった。
【０００８】
特に、電話機を壁に取り付けた場合等には、極端な場合キーボードを片手で保持しながら、もう一方の手で入力しなければならない状況も想定される。
【０００９】
また、個人の氏名、住所、電話番号等を、電話機の使用開始の初期に一括して入力するような使い方がされる場合では、その後の使用においては、住所や電話番号の変更等や新規情報の追加程度であるので、初期に比べれば、入力する情報量は比較的少なくて済む事が多い。
【００１０】
本発明は、上記のような、従来の電話機における、使用時の煩雑さ、使用環境の制限、入力手段の制限等の課題に鑑みなされたものであり、
入力が簡単で、使用が容易であり、設置場所の制約事項が少ない、電話機を提供することを目的とする。
【００１１】
【課題を解決するための手段】
本発明の電話機は、アプリケーションへの文字入力をダイヤルキーにて行えるように構成したものである。
【００１２】
【発明の実施の形態】
本発明の請求項１に記載の発明は、個人情報管理機能を有する電話機であって、個人情報管理アプリケーションの起動及び終了を指示する手段と、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、電話回線接続をモニタする手段とを備え、電話回線が接続されている時にダイヤルキーが押下された場合には、ダイヤルキー入力に対応したダイヤルを行い、電話回線が接続されていない時にダイヤルキーが押下された場合には、ダイヤルキー入力を起動されている前記個人情報管理アプリケーションへの文字コードに変換する事を特徴とする電話機であるので、個人情報管理アプリケーションに対して、キーボードがなくても、ダイヤルキーにて文字入力が可能となる。
【００１５】
本発明の請求項２に記載の発明は、ダイヤルキー入力を判定する手段と、ダイヤルキー入力に対応したダイヤルを行う手段と、ダイヤルキー入力を文字コードに変換する手段と、通信状態をモニタする手段とを備え、データ通信状態である時にダイヤルキーが押下された場合には、ダイヤルキー入力を文字コードに変換し、音声通話状態である時にダイヤルキーが押下された場合には、ダイヤルキー入力に対応したダイヤルを行うので、ダイヤルキーにて文字入力が可能となる。
【００１６】
本発明の請求項３に記載の発明は、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、通信状態をモニタする手段とを備え、データ通信状態である時にダイヤルキーが押下された場合には、ダイヤルキー入力を文字コードに変換し、音声通話状態である時にダイヤルキーが押下された場合には、ダイヤルキー入力に対応したダイヤルを行うので、キーボードがなくても、ダイヤルキーにて文字入力が可能となる。
【００１７】
本発明の請求項４に記載の発明は、ウエブブラウズ機能を有する電話機であって、ウエブブラウズアプリケーションの起動及び終了を指示する手段と、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、通信状態をモニタする手段とを備え、データ通信状態である時にダイヤルキーが押下された場合には、ダイヤルキー入力を起動されている前記ウエブブラウズアプリケーションへの文字コードに変換し、音声通話状態である時にダイヤルキーが押下された場合には、ダイヤルキー入力に対応したダイヤルを行うので、ウエブブラウズアプリケーションに対して、キーボードがなくても、ダイヤルキーにて文字入力が可能となる。
【００１８】
本発明の請求項５に記載の発明は、個人情報管理機能及びウエブブラウズ機能を有する電話機であって、個人情報管理及びウエブブラウズアプリケーションの起動及び終了を指示する手段と、ダイヤルキー入力を判定する手段と、ダイヤルキー入力に対応したダイヤルを行う手段と、キーボード入力を判定する手段と、前記ダイヤルキー入力及び／または前記キーボード入力を文字コードに変換する手段と、電話回線接続及び通信状態をモニタする手段とを備え、電話回線が接続されデータ通信状態である時にダイヤルキーが押下された場合には、ダイヤルキー入力を起動されている前記ウエブブラウズアプリケーションへの文字コードに変換し、電話回線が接続され音声通話状態である時にダイヤルキーが押下された場合には、ダイヤルキー入力に対応したダイヤルを行い、電話回線が接続されていない時にダイヤルキーが押下された場合には、ダイヤルキー入力を起動されている前記個人情報管理アプリケーションへの文字コードに変換するので、個人情報管理アプリケーション及びウエブブラウズアプリケーションに対して、キーボードがなくても、ダイヤルキーにて文字入力が可能となる。
【００１９】
以下、本発明の実施の形態につき、図１から図４を用いて説明する。
【００２０】
（実施の形態１）
図１は、本発明の実施の形態１における電話機の装置ブロック図であり、図２は同機能ブロック図である。
【００２１】
本発明の電話機は、図１の装置ブロック図に示すように、個人情報管理アプリケーション等で文字入力に使用するキーボード１、ダイヤル、文字入力に使用されるダイヤルキー２、個人情報管理アプリケーションの起動／終了等の指示を行うためのタッチパネル３、電話回線の通信を行うモデム４、音声通話時に使用するハンドセット５、電話回線の制御や電話回線のモニタや個人情報管理アプリケーション、ウエブブラウザアプリケーション等の処理を行うＣＰＵ６、個人情報管理アプリケーションで使用するデータを記憶するメモリ７、個人情報管理アプリケーション、ウエブブラウザアプリケーション等の表示を行うＬＣＤ８を有する。また、ダイヤルキー２は、数字「０〜９」及び「＊，＃」の１２種類のキーからなる。
【００２２】
ＣＰＵ６は、図２の機能ブロック図に示すように、ハンドセット５のフックスイッチがユーザによってオン、あるいは、オフされた場合にフックスイッチの状態を変化させるフックスイッチ切替手段９、フックスイッチ切替手段９によってフックスイッチの状態がオフになった場合に電話回線を接続し、フックスイッチの状態がオンになった場合に電話回線を切断する電話回線制御手段１０を備え、ユーザによってダイヤルキー２が押下された場合に、数字「０〜９」及び「＊，＃」からなる１２種類のキーの中で、どのキーが押下されたかを識別、判定するキーパッド入力手段１１を備える。
【００２３】
さらにＣＰＵ６には、電話回線が現在接続状態であるか切断状態であるかをモニタしてダイヤルキー２の入力データをダイヤル手段１３へ渡すか、あるいは、個人情報アプリケーション等へ文字コードとして渡すかを判断する電話回線モニタ手段１２を備える。この電話回線モニタ手段１２では、電話回線が接続状態であるか切断状態であるかをモニタすることに加え、電話回線が音声通話状態かデータ通信状態であるかもモニタできるものである。
【００２４】
そして、ユーザによって個人情報管理アプリケーションの起動／終了を指示されたかを判定するタッチパネル指示手段１４、ユーザがアプリケーションの起動／終了をしたと判断した場合に、アプリケーションの起動／終了を行うＰＩＭアプリ起動手段１５、起動されたアプリケーションをＬＣＤ８に表示する表示手段１６、ユーザによってキーボード１が押下されたかを判断するキーボード入力手段１７、キーパッド入力手段１１とキーボード入力手段１７から入力されたキーに対応した文字コードに変換する文字コード変換手段１８を備える。
【００２５】
次に、図３のフローチャートを用いて説明する。
【００２６】
Ｓ１では、ユーザがキーボード１を押下したか、ユーザがダイヤルキー２を押下したか、ハンドセット５をオフフックにしたか、ハンドセット５をオンフックにしたか、ユーザがアプリケーションの起動を指示したかのイベントを待っており、いずれかのイベントがシグナルされた場合にはＳ２に移行する。
【００２７】
Ｓ２では、キーボード１がユーザによって押下されたか否かをキーボード入力手段１７で判断する。キーボード１がユーザによって押下された場合には、Ｓ５へジャンプし、そうでない場合にはＳ３に移行する。
【００２８】
Ｓ３では、ダイヤルキー２がユーザによって押下されたか否かをキーパッド入力手段１１で判断する。ダイヤルキー２がユーザによって押下された場合にはＳ４に移行し、ダイヤルキー２が押下以外のイベントがシグナルされた場合にはＳ７へジャンプする。
【００２９】
Ｓ７では、アプリケーションの起動／終了を指示するタッチパネル３の入力であるかをタッチパネル指示手段１４で判定し、また、ハンドセット５のフックスイッチの切り替えであるか否かをフックスイッチ切替手段９で判定し、それぞれのイベントに応じた処理を行い、Ｓ１のイベント待ちに戻る。
【００３０】
Ｓ４では、電話回線モニタ手段１２で電話回線が接続状態であるか、それとも切断状態であるかを判断し、電話回線が接続状態の場合にはユーザによって押下されたダイヤルキー２はダイヤルするために押下されたものと判断し、Ｓ８へジャンプする。電話回線が切断状態の場合にはユーザによって押下されたダイヤルキー２は個人情報アプリケーションへの文字入力であると判断してＳ５へ移行する。
【００３１】
Ｓ５には、キーボード１からの入力があった場合と電話回線が切断状態のときにダイヤルキー２からの入力があった場合に移行される。Ｓ５では、文字コード変換手段１８でユーザによって押下されたキーコードを個人情報管理アプリケーション等で使用する文字コードに変換する。
【００３２】
Ｓ６では、Ｓ５で変換された文字コードをＬＣＤ８に表示してＳ１のイベント待ちに戻る。
【００３３】
Ｓ８には、電話回線が接続状態のときに、ダイヤルキー２がユーザによって押下された場合に移行される。Ｓ８では、ユーザによって押下されたダイヤルキー２に対応した番号をダイヤル手段１３でダイヤルを行った後、Ｓ１のイベント待ちに戻る。
【００３４】
（実施の形態２）
本発明の実施の形態２による電話機の構成は、図１の装置ブロック図、図２の機能ブロック図に示すものと同様であり、説明は省略する。
【００３５】
以下、本発明の実施の形態２について、図４のフローチャートを用いて説明する。実施の形態１と共通な部分については、同じ符号を用いている。
【００３６】
Ｓ９では、ユーザがキーボード１を押下したか、ユーザがダイヤルキー２を押下したか、ハンドセット５をオフフックにしたか、ハンドセット５をオンフックにしたか、ユーザがアプリケーションの起動を指示したかのイベントを待っており、いずれかのイベントがシグナルされた場合にはＳ１０に移行する。
【００３７】
Ｓ１０では、キーボード１がユーザによって押下されたか否かをキーボード入力手段１１で判断する。キーボード１がユーザによって押下された場合には、Ｓ１３にジャンプし、そうでない場合にはＳ１１に移行する。
【００３８】
Ｓ１１では、ダイヤルキー２がユーザによって押下されたか否かをキーパッド入力手段１１で判断する。ダイヤルキー２がユーザによって押下された場合には、Ｓ１２に移行し、ダイヤルキー２押下以外のイベントがシグナルされた場合にはＳ１５へジャンプする。
【００３９】
Ｓ１５では、アプリケーションの起動／終了を指示するタッチパネル３入力であるか否かをタッチパネル指示手段１４で判定し、また、ハンドセット５のフックスイッチの切り替えであるかをフックスイッチ切替手段９で判定し、それぞれのイベントに応じた処理を行い、Ｓ９のイベント待ちに戻る。
【００４０】
Ｓ１２では、電話回線モニタ手段１２で電話回線が音声通話状態であるか、データ通信状態であるか、それとも切断状態であるかを判断し、電話回線が音声通話状態の場合にはユーザによって押下されたダイヤルキー２はダイヤルするために押下されたものと判断し、Ｓ１６へジャンプする。電話回線がデータ通信状態の場合には、ユーザによって押下されたダイヤルキー２はウエブブラウズアプリケーションへのＵＬＲ入力であり、電話回線が切断状態の場合には、ユーザによって押下されたダイヤルキー２は個人情報管理アプリケーションへの文字入力であると判断してＳ１３へ移行する。
【００４１】
Ｓ１３は、キーボード１からの入力があった場合と、電話回線が切断状態の時または電話回線がデータ通信中の時にダイヤルキー２からの入力があった場合にここに移行される。Ｓ１３では、文字コード変換手段１８でユーザによって押下されたキーコードを個人情報管理アプリケーション、ウエブブラウザアプリケーションで使用する文字コードに変換する。
【００４２】
Ｓ１４は、Ｓ１３で変換された文字コードをＬＣＤ８に表示してＳ９のイベント待ちに戻る。
【００４３】
Ｓ１６には、電話回線が音声通話状態のときに，ダイヤルキー２がユーザによって押下された場合に移行される。Ｓ１６はユーザによって押下されたダイヤルキー２に対応した番号をダイヤル手段１３でダイヤルを行った後、Ｓ９のイベント待ちに戻る。
【００４４】
【発明の効果】
以上のように構成することによって、本発明の電話機は、電話回線に接続されていないときにダイヤルキーが押下された場合は文字入力とすることで、キーボードを接続していなくても個人情報管理アプリケーション等への文字の入力が可能となり、入力が簡単で使用が容易となり、電話機の設置場所の制約事項が少なくなるものである。
【図面の簡単な説明】
【図１】本発明の実施の形態１における電話機の装置ブロック図
【図２】本発明の実施の形態１における電話機の機能ブロック図
【図３】本発明の実施の形態１におけるフローチャート
【図４】本発明の実施の形態２におけるフローチャート
【符号の説明】
１  キーボード
２  ダイヤルキー
３  タッチパネル
４  モデム
５  ハンドセット
６  ＣＰＵ
７  メモリ
８  ＬＣＤ
９  フックスイッチ切替手段
１０  電話回線制御手段
１１  キーパッド入力手段
１２  電話回線モニタ手段
１３  ダイヤル手段
１４  タッチパネル指示手段
１５  ＰＩＭアプリ起動手段
１６  表示手段
１７  キーボード入力手段
１８  文字コード変換手段
【図１】
0004203632.tif 000002
【図２】
0004203632.tif 000003
【図３】
0004203632.tif 000004
【図４】
0004203632.tif 000005